(57)【要約】【課題】使用者に適応した高さに調節することのできる踏み台を備えるキッチン装置を提供する。【解決手段】このキッチン装置は、キッチン台１と、踏み台２と、を備え、踏み台２がキッチン台１の周囲であってキッチン台１を使用する者が立つ箇所の床部３からなるとともにキッチン台１を使用する者に合わせて高さを調節できる昇降機能を有する。又、踏み台２が複数箇所の床部３から形成され、各箇所の床部３がそれぞれ独立して昇降可能である。又、踏み台２に床下収納部４を設けてなる。【選択図】図１
2008022968.tif 000002
【特許請求の範囲】
【請求項１】
キッチン台と、踏み台と、を備え、踏み台がキッチン台の周囲であってキッチン台を使用する者が立つ箇所の床部からなるとともにキッチン台を使用する者に合わせて高さを調節できる昇降機能を有することを特徴とするキッチン装置。
【請求項２】
踏み台が複数箇所の床部から形成され、各箇所の床部がそれぞれ独立して昇降可能であることを特徴とする請求項１記載のキッチン装置。
【請求項３】
踏み台に床下収納部を設けてなることを特徴とする請求項１又は２記載のキッチン装置。
【発明の詳細な説明】
【技術分野】
【０００１】
本願発明は、踏み台を備えたキッチン装置に関するものである。
【背景技術】
【０００２】
従来から、特開２００５−３４６１６号公報（特許文献１）に示されるようなキャビネットは知られている。このキャビネットは図５に示すように、引出し１０１の上方に、レール１０２に沿って引出しと同様に出し入れされる踏み板１０３が設けられている。
【特許文献１】特開２００５−３４６１６号公報
【発明の開示】
【発明が解決しようとする課題】
【０００３】
しかしながら、特開２００５−３４６１６号公報に示される上記従来例のキャビネットにあっては、踏み板１０３としての高さは固定されてしまうので、多くの使用者が利用する場合や、使用者が成長する場合などに対応することができないという問題があった。
【０００４】
本願発明は上記背景技術に鑑みて発明されたものであり、その課題は、使用者に適応した高さに調節することのできる踏み台を備えるキッチン装置を提供することである。
【課題を解決するための手段】
【０００５】
上記課題を解決するために、本願請求項１記載の発明では、キッチン台と、踏み台と、を備え、踏み台がキッチン台の周囲であってキッチン台を使用する者が立つ箇所の床部からなるとともにキッチン台を使用する者に合わせて高さを調節できる昇降機能を有する。
【０００６】
又、本願請求項２記載の発明では、上記請求項１記載のキッチン装置において、踏み台が複数箇所の床部から形成され、各箇所の床部がそれぞれ独立して昇降可能であることを特徴としている。
【０００７】
又、本願請求項３記載の発明では、上記請求項１又は２記載のキッチン装置において、踏み台に床下収納部を設けてなることを特徴としている。
【発明の効果】
【０００８】
本願請求項１記載の発明のキッチン装置においては、キッチン台を使用する者に合わせて高さを調節できる踏み台を備えているので、多くの使用者が利用する場合や、使用者が成長する場合などにも適応することができる。
【０００９】
本願請求項２記載の発明のキッチン装置においては、特に、踏み台が複数の床部から形成され、各床部がそれぞれ独立して昇降可能であるため、複数の使用者が同時に使う場合において、各使用者に適応した高さに調節することができる。
【００１０】
本願請求項３記載の発明のキッチン装置においては、特に、踏み台に床下収納部を設けているので、床下に収納スペースを確保することができる。
【発明を実施するための最良の形態】
【００１１】
以下、本願発明を添付図面に示す実施形態に基づいて説明する。
【００１２】
図１〜４は、本願請求項１〜３に対応した一実施形態であるキッチン装置を示している。
【００１３】
このキッチン装置は、図１に示すように、キッチン台１と、踏み台２と、を備え、踏み台２がキッチン台１の周囲であってキッチン台１を使用する者が立つ箇所の床部３からなるとともにキッチン台１を使用する者に合わせて高さを調節できる昇降機能を有する。又、踏み台２が複数箇所の床部３から形成され、各箇所の床部３がそれぞれ独立して昇降可能である。又、踏み台２に床下収納部４を設けてなる。
【００１４】
以下、この実施形態のキッチン装置をより具体的詳細に説明する。
【００１５】
このキッチン装置のキッチン台１は、図１、２に示すように左右方向に長い直方体状であり、ＩＨクッキングヒータ６が端部付近に、シンク７が他端付近に、設けられている。
【００１６】
キッチン台１の前側には、踏み台２がキッチン台１と接するようにキッチン台１長手方向の全長に渡って設けられている。
【００１７】
この踏み台２は、２組の床部３及び床下収納部４及び駆動部５から構成される。床部３は、左右方向に長い長方形状であり、同じ大きさの２つの床部３が左右方向に隣接している。
【００１８】
各床部３の下側には箱型状の床下収納部４が設けられている。床部３の底面と床下収納部４は接しており、床部３は床下収納部４の天板となる。図４に示すように、この床下収納部４は引出し８を備えている。この引出し８は左右方向に引出すことが可能である。
【００１９】
各床下収納部４の下側には駆動部５であるエアシリンダーが設けられている。このエアシリンダーの上端は床下収納部４の底面と接し、床下収納部４の底面を押し上げるように又は床下収納部４の底面に押し下げられるように動作する。
【００２０】
図１に示すように、エアシリンダーが動作していない通常時の踏み台２は、床部３の上面が床面９と面一になるように位置する。
【００２１】
図３に示すように、エアシリンダーが床下収納部４の底面を押し上げるように動作している時の踏み台２は、床部３の上面が床面９よりも高い位置に位置する。この場合、各エアシリンダーの動作を調節すると、各床部３の上面は異なる高さ位置となる。そして、この状態からエアシリンダーを通常時に戻すと、エアシリンダーは床下収納部４の底面に押し下げられるように動作し、図１に示すように、床部３の上面は床面９と面一になるように位置することとなる。
【００２２】
図４に示すように、踏み台２の上限高さは床下収納部４の底面が床面９と面一になる高さ位置である。そして、踏み台２が上限高さに位置している時には床下収納部４の引出し８を左右方向に引出すことができる。図示していないが、引出し８の前板１０には収納式把手が設けられ、この収納式把手を用いて引出し８を引出す。又、引出し８の底面には荷重受けとして機能するための支持手段としてキャスター１１が設けられている。このキャスター１１は床下収納部４の底板に接している。
【００２３】
したがって、この実施形態のキッチン装置においては、キッチン台１を使用する者に合わせて高さを調節できる踏み台２を備えているので、多くの使用者が利用する場合や、使用者が成長する場合などにも適応することができ、キッチンでの家事の効率性・利便性が向上することとなる。
【００２４】
又、踏み台２が２組の床部３及び床下収納部４及び駆動部５から構成されているので、各床部３はそれぞれ独立して昇降可能となり、異なる高さ位置とすることができる。よって、複数の使用者が同時に使う場合において、各使用者に適応した高さに調節することができる。例えば、シンク７で母親が食器を洗い、ＩＨクッキングヒータ６で子供が料理をしている場合、シンク７側の床部３は少しだけ高い位置にし、ＩＨクッキングヒータ６側の床部３はシンク７側の床部３よりも高い位置にすることで、親子がそれぞれ快適に作業をすることができる。
【００２５】
又、踏み台２に床下収納部４を設けているので、床下に収納スペースを確保することができる。特に、本実施形態のキッチン装置においては、エアシリンダーによって容易に床下収納部４を床上に現せることができるので、利便性が向上する。更に、床下収納部４の底面が床面９と面一になった状態でなければ床下収納部４の引出し８を引出すことができないので、引出し８が高い位置から落下することはなく、安全性を高めることが出来る。更に、床下収納部４の底面が床面９と面一になった状態では、キャスター１１が床面９に接することになるので、引出し８を容易に引出すことができる。又、引出し８の把手は収納式把手であるので、踏み台２の昇降時に床板に引っ掛ったりするようなこともなく、利便性が向上する。
【００２６】
なお、本実施形態の踏み台２は２組の床部３及び床下収納部４及び駆動部５から構成されているが、１組又は３組以上の床部３及び床下収納部４及び駆動部５から構成されていてもよい。又、駆動部５としてエアシリンダーを用いているが、パンダグラフ等の他の機構であってもよい。又、各床部３の大きさは同じ大きさとなっているが、異なる大きさであってもよい。又、床下収納部４の引出し８は左右方向に引出すことができるとなっているが、後方向（キッチン台が位置する方向と逆の方向）に引出せてもよい。
【図面の簡単な説明】
【００２７】
【図１】本願発明の一実施形態であるキッチン装置を示す正面図。
【図２】同キッチン装置を示す上面図。
【図３】同キッチン装置の踏み台の高さを上げている状態を示す正面図。
【図４】同キッチン装置の床下収納部の引出しを引出している状態を示す正面図。
【図５】従来例であるキャビネットを示す断面図。
【符号の説明】
【００２８】
１  キッチン台
２  踏み台
３  床部
４  床下収納部
５  駆動部（エアシリンダー）
６  ＩＨクッキングヒータ
７  シンク
８  引出し
９  床面
１０  前板
１１  キャスター
【図１】
2008022968.tif 000003
【図２】
2008022968.tif 000004
【図３】
2008022968.tif 000005
【図４】
2008022968.tif 000006
【図５】
2008022968.tif 000007